(57)【要約】【課題】取り扱いが容易で便利であり、商品の不正な持ち出しを防止する商品吊り下げ用防犯装置を提供する。【解決手段】商品吊り下げ用防犯装置２１は、防犯タグを内部に収納する本体部２２と、本体部の上部に形成されフックに係止する係止片２３とを備える。本体部は、収納ケースの係止孔を差し入れる隙間部と、隙間部の一端側に一体に設けられる差し込み自在な差込ピンと、隙間部の他端側に設けられて差込ピンの先端側を挟持し又は挟持状態を解除する保持部２６とを備えている。係止片は、本体部に連接する基部３１と、基部から延出する先端部３２とを有すると共に、先端部側にフックが挿入可能な開放部３３が設けられている。【選択図】図１
0003205160.tif 000002
【実用新案登録請求の範囲】
【請求項１】
商品の収納ケースを保持した状態で陳列棚のフックに係止して、その商品の不正な持ち出しを防止する商品吊り下げ用防犯装置であって、
該商品吊り下げ用防犯装置は、防犯タグを内部に収納する本体部と、該本体部の上部に形成され前記フックに係止する係止片とを備え、
前記本体部は、前記収納ケースの係止孔を差し入れる隙間部と、該隙間部の一端側に一体に設けられる差し込み自在な差込ピンと、前記隙間部の他端側に設けられて前記差込ピンの先端側を挟持し又は挟持状態を解除する保持部とを備えており、
前記係止片は、前記本体部に連接する基部と、該基部から延出する先端部とを有すると共に、該先端部側に前記フックが挿入可能な開放部が設けられていること
を特徴とする商品吊り下げ用防犯装置。
【考案の詳細な説明】
【技術分野】
【０００１】
本考案は、商品の収納ケースを保持した状態で陳列棚のフックに係止して、その商品の不正な持ち出しを防止する商品吊り下げ用防犯装置に関するものである。
【背景技術】
【０００２】
従来、この種の防犯装置としては、図４に示す構成の商品吊り下げ用ホルダー１が知られている。この商品吊り下げ用ホルダー１は、陳列棚２のフック３に吊下孔４ａを引っ掛けて係止する吊下板４と、吊下板４にネジ５で固定し且つ差込ピン６が突設すると共に内部に防犯タグ７が収納されるホルダー本体８と、商品収納ケース９の小孔９ａを差込ピン６に差し込んでから当該差込ピン６に挿着する保持具１０とから構成される（特許文献１参照）。
【０００３】
保持具１０は、スライド自在なスライド部１１と、スライド部１１に巻回するスプリング１２と、スライド部１１の先端に設けられるベアリング１３とを備えており、スプリング１２の押圧力でベアリング１３をテーパー面１４に対して圧接すると同時に差込ピン６を挟持する仕組みであって、当該保持具１０を引っ張っても抜けない構造である。
【０００４】
客が商品を購入する場合には、商品収納ケース９が取り付けられている状態で商品吊り下げ用ホルダー１をカウンターに持参する。カウンターでは強力な磁石１５を保持具１０に当接する。
【０００５】
このとき、スライド部１１が磁石１５の磁力に引っ張られてスライドし、スプリング１２が圧縮されると共にベアリング１３がテーパー面１４から離れて、差込ピン６の挟持状態が解除される。その結果、保持具１０を差込ピン６から引き抜くことができる。そして、差込ピン６から商品収納ケース９を取り外して客に販売する。
【０００６】
一方、万引き行為によって商品収納ケース９を不正に店外へ持ち出す場合は、電波を発する店のゲートにて、ホルダー本体８の内部に収納される防犯タグ７の通過を感知して警報音を発することとなる。
【先行技術文献】
【特許文献】
【０００７】
【特許文献１】特開２００４−４１６４２号公報
【考案の概要】
【考案が解決しようとする課題】
【０００８】
この従来例の商品吊り下げ用ホルダー１においては、ホルダー本体８と保持具１０とが別体に形成されていることと、保持具１０が小さい部材であることから、カウンター等において、保持具１０の取り扱いが厄介であって紛失する恐れがあるという欠点を有している。
【０００９】
また、これと同様な理由で、差込ピン６に対して保持具１０を挿着する作業が面倒で煩わしいという欠点もある。
【００１０】
そして、ホルダー本体８は差込ピン６が突設しているので、手や指などに刺さって怪我をする恐れがあり危険だという欠点がある。
【００１１】
さらに、陳列棚２のフック３に複数個の商品収納ケース９を係止している場合において、後ろ側の商品を手に取るときには、その手前の全ての商品を順次にフック３から取り出す必要があって、厄介で面倒であるという欠点を有している。
【００１２】
従って、従来例における商品吊り下げ用ホルダー１においては、保持具１０の紛失を防止して、その挿着作業を簡単に行うことと、突設した差込ピン６による怪我を回避することと、複数個の商品収納ケース９をフック３に係止した場合に後ろ側の商品を容易に取り出すこととに解決しなければならない課題を有している。
【課題を解決するための手段】
【００１３】
前記従来例の課題を解決するための本考案の要旨は、商品の収納ケースを保持した状態で陳列棚のフックに係止して、その商品の不正な持ち出しを防止する商品吊り下げ用防犯装置であって、該商品吊り下げ用防犯装置は、防犯タグを内部に収納する本体部と、該本体部の上部に形成され前記フックに係止する係止片とを備え、前記本体部は、前記収納ケースの係止孔を差し入れる隙間部と、該隙間部の一端側に一体に設けられる差し込み自在な差込ピンと、前記隙間部の他端側に設けられて前記差込ピンの先端側を挟持し又は挟持状態を解除する保持部とを備えており、前記係止片は、前記本体部に連接する基部と、該基部から延出する先端部とを有すると共に、該先端部側に前記フックが挿入可能な開放部が設けられていることである。
【考案の効果】
【００１４】
本考案に係る商品吊り下げ用防犯装置によれば、差込ピンと保持部とが本体部と一体に形成されているので、従来例のように保持部を紛失することがなく、その差し込み作業はワンプッシュで極めて簡単である。
また、差込ピンは外側に突出していないので、手や指などに刺さって怪我をすることがなくて安全である。
さらに、陳列棚のフックに複数個の商品収納ケースが係止している場合において、後ろ側の商品を手に取るときには、係止片の開放部から横方向に引き抜けば目的の商品を手に取れるので、その取り扱いが簡単であるという種々の優れた効果を奏する。
【図面の簡単な説明】
【００１５】
【図１】本考案に係る商品吊り下げ用防犯装置２１の正面図である。
【図２】本考案に係る商品吊り下げ用防犯装置２１の側面図である。
【図３】保持部２６を略示的に示す断面図である。
【図４】従来例に係る商品吊り下げ用ホルダー１の使用状態を示す一部縦断面図である。
【考案を実施するための形態】
【００１６】
次に、本考案の実施の形態について図面を参照しながら説明する。なお、理解を容易にするために、従来例に対応する部分には従来例と同一の符号を付けて説明する。
【００１７】
まず、図１及び図２において、符号２１は商品吊り下げ用防犯装置を示し、この商品吊り下げ用防犯装置２１は、図示しない防犯タグを内部に収納する本体部２２と、本体部２２の上部に形成され陳列棚２のフック３に係止する係止片２３とから構成される。
【００１８】
本体部２２は、図２に示すように、商品の収納ケース９の係止孔（小孔）９ａを差し入れる隙間部２４と、隙間部２４の一端側に一体に設けられる差し込み自在な差込ピン２５と、隙間部２４の他端側に設けられて差込ピン２５の先端２５ａ側を挟持し又は挟持状態を解除する保持部２６とを備えている。
【００１９】
隙間部２４は、本体部２２の一方の側面２２ａから他方の側面２２ｂに渡って形成されている。また、隙間部２４の幅は、上述のように収納ケース９の係止孔９ａを差し入れることができる幅であり、具体的には約２〜３ｍｍ程度の長さである。
【００２０】
差込ピン２５は、図２及び図３に示すように、押圧部２５ｂを押し込むと（矢印Ａ参照）先端２５ａが保持部２６に差し込まれる仕組みである。
【００２１】
保持部２６は、差込ピン２５の先端２５ａ側を挟持してその挟持状態を維持し、あるいは挟持状態を解除する機能を備える。その構造は、従来例等で用いられているものとほぼ同様の構造であるが、その一例を略示的に示すと次のようなものである。
【００２２】
まず、図３に示すように、保持部２６は、スライド自在なスライド部２７と、スライド部２７の一端に巻回するスプリング２８と、スライド部２７の先端に設けられるベアリング２９とを備えている。
【００２３】
スプリング２８は、その押圧力でベアリング２９をテーパー面３０に対して圧接すると同時に差込ピン２５を挟持する仕組みであって、保持部２６を引っ張っても抜けない構造である。
【００２４】
保持部２６を取り外す場合は、強力な磁石３４を保持部２６に当接する。このとき、スライド部２７が磁石の磁力に引っ張られてスライドし、スプリング２８が圧縮されると共にベアリング２９がテーパー面３０から離れて、差込ピン２５の挟持状態が解除される。その結果、保持部２６を差込ピン２５から引き抜くことができる。
【００２５】
係止片２３は、図１に示すように、本体部２２に連接する基部３１と、基部３１から延出する先端部３２とを有すると共に、先端部３２側にはフック３が挿入可能な開放部３３が設けられている。
【００２６】
以上のように構成される商品吊り下げ用防犯装置２１は、差込ピン２５と保持部２６とが本体部２２と一体に形成されているので、保持部２６を紛失することがなく、その差し込み作業はワンプッシュで簡単である。
【００２７】
また、差込ピン２５は外側に突出していないので、手や指などに刺さって怪我をすることがなくて安全である。
【００２８】
さらに、陳列棚２のフック３に複数個の商品の収納ケース９が係止している場合（図示せず）において、後ろ側の商品を手に取るときには、係止片２３の開放部３３から横方向に引き抜けば目的の商品を手に取れるので、その取り扱いが簡単である。
【符号の説明】
【００２９】
１    商品吊り下げ用ホルダー
２    陳列棚
３    フック
４    吊下板
４ａ  吊下孔
５    ネジ
６    差込ピン
７    防犯タグ
８    ホルダー本体
９    商品収納ケース
９ａ  小孔（係止孔）
１０  保持具
１１  スライド部
１２  スプリング
１３  ベアリング
１４  テーパー面
１５  磁石
２１  商品吊り下げ用防犯装置
２２  本体部
２２ａ一方の側面
２２ｂ他方の側面
２３  係止片
２４  隙間部
２５  差込ピン
２５ａ先端
２５ｂ押圧部
２６  保持部
２７  スライド部
２８  スプリング
２９  ベアリング
３０  テーパー面
３１  基部
３２  先端部
３３  開放部
３４  磁石
【図１】
0003205160.tif 000003
【図２】
0003205160.tif 000004
【図３】
0003205160.tif 000005
【図４】
0003205160.tif 000006